(57)【要約】  本発明は、基準光を導通させるための光素子数を削減させた光ノード装置であり、ｐａ個の入力側波長合分波素子（１）と、スイッチモジュール（１０２）と、ｐｂ個の出力側波長合分波素子（３）と、基準光光源４と、をそなえ、入力側波長合分波素子（１）のそれぞれは、少なくとも２つの第１ポート（１ａ−１，１ａ−２）および第２ポート（１ｂ−１〜１ｂ−ｎ）をそれぞれそなえるとともに、各入力側波長合分波素子１をなす前記第１ポートのうちの一（１ａ−１）は入力伝送路（１２１）に接続されるとともに、前記第１ポートのうちの他（１ａ−２）は基準光光源（４）に接続され、且つ各第２ポート（１ｂ−１〜１ｂ−ｎ）はそれぞれスイッチモジュール（１０２）の入力端（１０２ａ）に接続される。
2008105097.tif 000002
【特許請求の範囲】
【請求項１】
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する基準光を出力しうる基準光光源と、をそなえ、
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、前記第１ポートのうちの他は該基準光光源に接続され、且つ各第２ポートはそれぞれ該スイッチモジュールの入力端に接続されたことを特徴とする、光ノード装置。
【請求項２】
該ｐｂ個の出力側波長合分波素子のそれぞれは、少なくとも２つの第１ポートおよび第２ポートをそれぞれそなえるとともに、前記第１ポートのうちの一は対応する該出力伝送路に接続されるとともに、各第２ポートはそれぞれ該スイッチモジュールの出力端に接続され、
かつ、該ｐｂ個の出力側波長合分波素子の前記第１ポートのうちの他に接続され、該基準光光源から該スイッチモジュールを通じて入力される基準光をモニタする第１モニタ部をそなえたことを特徴とする、請求項１記載の光ノード装置。
【請求項３】
該ｐａ個の入力側波長合分波素子の該第２ポートと該スイッチモジュールの入力端との間には、前記入力伝送路からの光についての波長分離光をモニタする第２モニタ部をそなえる一方、該第２モニタ部は、前記入力伝送路からの光の入力待機状態の場合には、該基準光光源から出力され該入力側波長合分波素子で波長分離された基準光をモニタすることを特徴とする、請求項２記載の光ノード装置。
【請求項４】
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する多波長光を基準光として出力しうる基準光光源と、をそなえ、
該ｐｂ個の出力側波長合分波素子のそれぞれは、少なくとも２つの第１ポートおよび第２ポートをそれぞれそなえるとともに、各出力側波長合分波素子の該第１ポートのうちの一は対応する該出力伝送路に接続されるとともに、該第１ポートのうちの他は該基準光光源に接続され、かつ、各第２ポートはそれぞれ該スイッチモジュールの出力端に接続されたことを特徴とする、光ノード装置。
【請求項５】
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、該第２ポートはそれぞれ該スイッチモジュールの入力端に接続され、
かつ、該ｐａ個の入力側波長合分波素子の前記第１ポートのうちの他に接続され、該基準光光源からの基準光をモニタする第１モニタ部をそなえたことを特徴とする、請求項４記載の光ノード装置。
【請求項６】
該ｐａ個の入力側波長合分波素子の該第２ポートと該スイッチモジュールの入力端との間には、それぞれ前記基準光光源から出力され該スイッチモジュールを導通した基準光又は前記入力伝送路からの光についての波長分離光をモニタする第２モニタ部をそなえたことを特徴とする、請求項４記載の光ノード装置。
【請求項７】
該基準光光源は、前記フレーム信号光の波長帯と実質的に同等の波長帯の多波長光を出力することを特徴とする、請求項１又は４記載の光ノード装置。
【請求項８】
該基準光光源は、前記フレーム信号光の波長帯と実質的に異なる波長帯の多波長光を出力することを特徴とする、請求項１又は４記載の光ノード装置。
【請求項９】
該ｐａ個の入力側波長合分波素子および該ｐｂ個の出力側波長合分波素子のそれぞれは、アレイ導波路格子であることを特徴とする、請求項１又は４記載の光ノード装置。
【請求項１０】
該スイッチモジュールにおける該入力端および該出力端との間でフレーム信号光を伝搬する光方路を設定するための制御情報を記憶する制御情報記憶部と、
該制御情報記憶部に記憶された制御情報を参照して、該スイッチモジュールにおける前記入力端および出力端の切り替えのための制御を当該スイッチモジュールに対して行なう制御部と、
該モニタ部におけるモニタ結果に基づいて、該制御情報記憶部にて記憶されている、該スイッチモジュールにおいて切り替え設定可能な光方路をなす前記入力端および出力端の組み合わせに応じた前記制御情報について、更新制御する更新制御部と、をそなえたことを特徴とする、請求項２又は５記載の光ノード装置。
【請求項１１】
該スイッチモジュールは、駆動電圧の供給により入力光が偏向する偏向素子をそなえ、該偏向素子に対する前記駆動電圧の供給により該入力端と該出力端との間の光方路が設定される偏向光スイッチとして構成され、
該制御部が、
前記光方路として設定すべき該入力端および出力端の組み合わせに関する情報を入力されるとともに、該制御情報記憶部の内容を参照することにより、該スイッチモジュールに対して供給すべき駆動電圧を制御する制御信号を出力する駆動電圧制御部と、
該駆動電圧制御部からの前記制御信号により制御された駆動電圧を該スイッチモジュールに供給する駆動電圧供給部と、をそなえ、
該更新制御部は、該モニタ部からのモニタ結果をもとに、該制御情報記憶部において該制御情報として記憶されている、更新制御の対象となる光方路にかかる駆動電圧制御用の情報を更新制御することを特徴とする、請求項１０記載の光ノード装置。
【請求項１２】
該更新制御部における前記更新制御の対象となる光方路は、該スイッチモジュールで前記入力伝送路および前記出力伝送路間でのスイッチングの待機状態にある光方路であることを特徴とする、請求項１１記載の光ノード装置。
【請求項１３】
入力光について波長変換を行なう波長変換部をそなえるとともに、
該スイッチモジュールは、前記切り替えがなされた光を該波長変換部へ導く出力端ととともに、該波長変換部で前記波長変換が行なわれた光について前記いずれかの出力伝送路へ通じる出力端へ切り替えて出力すべく該スイッチモジュールに再入力させる入力端を更にそなえたことを特徴とする、請求項１又は４記載の光ノード装置。
【発明の詳細な説明】
【技術分野】
【０００１】
本発明は光ノード装置に関し、特に光バースト／パケットスイッチング向けのマイクロ秒以下のスイッチング応答性能を有する高速ＷＤＭ光スイッチングに用いて好適の、光ノード装置に関する。
【背景技術】
【０００２】
メトロアクセスエリアにおけるフォトニックネットワークでは、ＡＤＭ（Add Drop Multiplexing）等における回線や信号の交換・方路切り替えによって、頻繁にネットワーク構成が変更される。現在のネットワークにおける中継段などにおいては、光信号を電気信号に一旦変換した後に光信号に変換することで信号切り替えを行なっている構成も多く採用されている。【０００３】
しかし、今後は、ネットワークに求められる性能向上から、切り替え処理の高速化のため、光信号のまま、所望の波長だけを分離するダイナミックＯＡＤＭ（Optical Add Drop Multiplexing）や、入出力方路の切り替えを光信号のまま波長単位に行なう光クロスコネクトノード等に置き換わることが予想される。
さらに、その次の世代においては、回線使用効率を向上させるために、光信号を一定長のフレームに分割し、そのフレーム単位で光信号のまま交換・方路切り替えの処理（本明細書においては、これらの処理の総称を光バースト信号処理として記述する）を行なう機能が必要となることが見込まれている。【０００４】
特に、映像配信、データセンタ間のデータバックアップ、グリッドコンピューティング等の効率的運用を実現するネットワークとして、上述の光バースト信号処理を行なうネットワークは有望である。このネットワークの実現には、光バーストスイッチングの応答速度としてマイクロ秒（μｓ）オーダの高速な性能を有する、大規模なＷＤＭスイッチングノードの開発が必須とされる。【０００５】
上述の光バースト信号処理を行なう装置の構成例としては、例えば特許文献１に記載されたものがある。この特許文献１に記載された技術については、入出力ポートに対応する数の入力端および出力端間において光方路を切り替える光スイッチ装置の構成に着目したものである。波長多重（ＷＤＭ：Wavelength Division Multiplexing）されたフレーム信号光について、波長単位およびフレーム単位でのスイッチングを行なう場合には、例えば図１０あるいは図１１に示すような光ノード装置としての構成を想定することができる。【０００６】
ここで、この図１０に示す光ノード装置１００において、入力伝送路１２１（ここでは複数であるｐ本）からの波長多重フレーム信号光は、それぞれ、ＡＷＧ（Arrayed Waveguide Gratings）等からなる入力側波長合分波素子１０１でチャンネル毎のフレーム信号光に波長分離され、Ｎ×Ｎの光マトリクススイッチ１０２に入力される。尚、１２３は入力伝送路１２１と入力側波長合分波素子１０１との間に介装されるＷＤＭ光アンプである。【０００７】
光マトリクススイッチ１０２は、ｐ本の入力伝送路１２１からの波長多重フレーム信号光についてのチャンネルごとのフレーム信号光を個別に導入する入力端（入力ポート）をそなえるとともに、各入力端から入力されたフレーム信号光について複数本（ここではｐ本）の出力伝送路１２２のうちのいずれかへフレーム単位でチャンネルごとに導くための出力端（出力ポート）をそなえている。又、光マトリクススイッチ１０２の出力端から出力された光は、出力先となる出力伝送路１２２に導出される前段においてＡＷＧ等からなる波長多重部１０３で波長多重されるようになっている。【０００８】
ここで、光マトリクススイッチ１０２は、上記特許文献１に記載されたスイッチモジュールと同様に、駆動電圧を供給されて入力光を偏向する光偏向素子をそなえてなる偏向光スイッチとして構成することができる。即ち、駆動電圧供給部１０４で供給される駆動電圧によって光偏向素子を駆動することを通じて、任意の入力端および出力端を組とした光方路を形成させることができるようになっている。尚、光マトリクススイッチ１０２の構成としては、下記の非特許文献１に記載されたものもある。【０００９】
また、制御情報記憶部１０５は、設定すべき光方路に応じて、上述の駆動電圧供給部１０４で供給すべき駆動電圧に関する情報を記憶するものであり、駆動電圧制御部１０６は、設定すべき光方路に応じて、制御情報記憶部１０５の内容を参照することにより、スイッチモジュール１０２をなす光偏向素子に対して供給すべき駆動電圧を制御するための制御信号を駆動電圧供給部１０４に対して出力する。【００１０】
なお、光マトリクススイッチ１０２から各出力伝送路１２２に出力されるチャンネルごとのフレームについては、上述の駆動電圧の調整により、光マトリクススイッチ１０２内において可変減衰（ＶＯＡ）制御により光レベルを等化させることもできるようになっており、その可変減衰制御のための駆動電圧情報についても、制御情報記憶部１０５で記憶することができる。【００１１】
すなわち、入力側波長合分波素子１０１で波長分離されたチャンネルごとのフレーム信号光のレベルを光カプラ１１８を介してフォトダイオードからなる入力信号光モニタ１１１でそれぞれモニタするとともに、駆動電圧制御部１０６において、そのモニタ結果から、等化目標出力レベルと光マトリクススイッチ１０２および波長多重部１０３等における固定的な損失分を差し引いた値を目標減衰付加量として導出し、その目標減衰付加量を実現する駆動電圧情報を制御情報記憶部１０５から取り出して、駆動電圧供給部１０４へ制御信号する。これにより、方路切り替え処理を経て各出力端から出力される光のレベル等化についても実現している。【００１２】
なお、１１０は波長変換部であり、特に光マトリクススイッチ１０２に入力されるフレーム信号光のうちで波長変換して方路切り替えを行なう必要があるものについて所期の波長変換を行なうものであり、このために、光マトリクススイッチ１０２は、波長変換部１０２を経由するルートを設定するための出力端および波長変換処理後のフレーム信号光について出力伝送路１２２に導出する方路切り替えを行なうために当該光マトリクススイッチ１０２に再入力させるための入力端をそなえている。【００１３】
したがって、上述の波長変換部１１０に接続されている入出力端の数をともにｍとすると、入出力伝送路１２１，１２２の本数はともにｐ本であり、各入出力伝送路１２１，１２２で波長多重収容可能な最大のチャンネル数（即ち入力側波長合分波素子１０１で波長分離されて光伝播路を分離可能な本数）をｎとすると、光マトリクススイッチ１０２の入出力端数Ｎは、Ｎ＝ｎ×ｐ＋ｍとあらわすことができる。【００１４】
また、更新制御部１０９は、装置運用開始に先立って、方路切り替えが想定される入力端および出力端同士を光学的に結合させるための駆動電圧情報、および可変減衰制御のための駆動電圧情報を制御情報記憶部１０５に蓄積制御しておくことができるほか、実運用中ではあるが方路設定が待機中とされている光方路に関する駆動電圧情報および可変減衰制御のための駆動電圧情報についても、適宜更新制御することができるようになっている。【００１５】
このために、図１０に示す光ノード装置１００においては、光マトリクススイッチ１０２をなす各入出力端間での非運用状態又は運用待機中の光方路における基準光の入出力光レベルをモニタする構成をそなえている。そして、更新制御部１０９においては、基準光の該当光方路への入出力レベルをモニタすることにより、制御情報記憶部１０５で記憶される駆動電圧情報を更新制御することができるようになっている。【００１６】
ここで、上述の基準光の入出力レベルをモニタするための構成としては、フレーム信号光の波長帯として適用される例えばＣ（Conventional）バンドとは異なるＬ（Long）バンドの光源１１２，光源１１２から出力されたＬバンド光のレベルを入力基準光レベルとしてモニタする入力基準光モニタ１１３，光源１１２からの光をＮ分岐する１×Ｎカプラ１１４，１×Ｎカプラ１１４で分岐された各基準光を光マトリクススイッチ１０２をなす各Ｎ個の入力端にそれぞれ合流させるためのＣ／Ｌ分離カプラ１１５，Ｎ個の出力端から出力される各フレーム信号光を伝搬させる光伝播路上において上述の基準光を取り出すためにそれぞれ設けられるＣ／Ｌ分離カプラ１１６，およびＣ／Ｌ分離カプラ１１６からのＬバンドの出力基準光についてそれぞれモニタする出力基準光モニタ１１７をそなえている。【００１７】
これにより、更新制御部１０９においては、光源１１２からの基準光を光マトリクススイッチ１０２での更新対象の光方路に導通させて、上述の入力基準光モニタ１１３および出力基準光モニタ１１７からのモニタ結果をもとに、制御情報記憶部１０５で記憶されている駆動電圧情報を更新制御する。
図１１に示す光ノード装置１３０は、図１０に示す光ノード装置１００と異なり、フレーム信号光と実質的に同等の波長帯（Ｃバンド）の光を出力する光源１１２Ａをそなえ、この光源１１２Ａからの基準光を光マトリクススイッチ１０２の出力端側および入力端側にそれぞれ設けられた光サーキュレータ１１９ａ，１１９ｂを通じ、光マトリクススイッチ１０２の出力端から入力端に向けて（即ちフレーム信号光の伝搬方向とは逆方向で）導通させている。このようにしても、図１０に示す光ノード装置１００の場合と同様、更新制御部１０９において、入力基準光モニタ１１３および出力基準光モニタ１１７からのモニタ結果をもとにした制御情報記憶部１０５の内容を更新制御することができる。【００１８】
その他、本願発明に関連する技術としては、以下の特許文献２に記載された技術もある。
【特許文献１】特開２００６−２８７４５３号公報
【特許文献２】特開２０００−３５８２６１号公報
【非特許文献１】Y. Kai et al.,"4×4 high-speed switching subsystem with VOA(<10μｓ) using PLZT beam deflector for optical burst switching", Optical Society of America, OFJ7 ,2006
【発明の開示】
【発明が解決しようとする課題】
【００１９】
しかしながら、上述のごとくＷＤＭのフレーム信号光について光バーストスイッチングを行なう場合には、図１０および図１１に示すように、光マトリクススイッチ１０２をなす各入力端および出力端にそれぞれ基準光を導通させるために、各入力端および出力端に、フォトダイオードとしての入力基準光モニタ１１３および出力基準光モニタ１１７をそなえる必要があるほか、Ｃ／Ｌ分離カプラ１１５，１１６や、光サーキュレータ１１９ａ，１１９ｂなどをそなえる必要が生じる。従って、光マトリクススイッチ１０２をなす光方路に基準光を導通させるために多数の光素子が必要となるため、装置構成のためのコスト増、光配線の煩雑化を招く。【００２０】
上述の特許文献１および２は、ＷＤＭのフレーム信号光について光バーストスイッチングを行なう光ノード装置における光配線の簡素化を図る構成について提供するものではない。
そこで、本発明の目的の一つは、基準光を導通させるための光素子数を削減させることにある。【００２１】
また、装置構成のためのコストを抑制し、光配線の簡素化を図ることを目的とする。
なお、上記目的に限らず、後述する発明を実施するための最良の形態に示す各構成により導かれる効果であって、従来の技術によっては得られない効果を奏することも本発明の他の目的の１つとして位置づけることができる。
【課題を解決するための手段】
【００２２】
このため、本発明は以下の光ノード装置を特徴とするものである。
（１）すなわち、本発明の光ノード装置は、少なくとも１本以上であるｐａ本の入力伝送路から入力される波長多重フレーム信号光をそれぞれ入力され波長分離して出力しうる、ｐａ個の入力側波長合分波素子と、前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、該スイッチモジュールにおいて出力伝送路が対応付けられたフレーム信号光について、当該対応付けられた出力伝送路ごとに波長多重しうる、ｐｂ個の出力側波長合分波素子と、該スイッチモジュールを監視制御するための基準光光源であって、該入力側波長合分波素子および該出力側波長合分波素子での分波分解能をカバーする波長帯域幅を有する基準光を出力しうる基準光光源と、をそなえ、該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、前記第１ポートのうちの他は該基準光光源に接続され、且つ各第２ポートはそれぞれ該スイッチモジュールの入力端に接続されたことを特徴している。【００２３】
（２）また、好ましくは、該ｐｂ個の出力側波長合分波素子のそれぞれは、少なくとも２つの第１ポートおよび第２ポートをそれぞれそなえるとともに、前記第１ポートのうちの一は対応する該出力伝送路に接続されるとともに、各第２ポートはそれぞれ該スイッチモジュールの出力端に接続され、かつ、該ｐｂ個の出力側波長合分波素子の前記第１ポートのうちの他に接続され、該基準光光源から該スイッチモジュールを通じて入力される基準光をモニタする第１モニタ部をそなえたこととすることができる。【００２４】
（３）この場合においては、該ｐａ個の入力側波長合分波素子の該第２ポートと該スイッチモジュールの入力端との間には、前記入力伝送路からの光についての波長分離光をモニタする第２モニタ部をそなえる一方、該第２モニタ部は、前記入力伝送路からの光の入力待機状態の場合には、該基準光光源から出力され該入力側波長合分波素子で波長分離された基準光をモニタすることとしてもよい。【００２５】
（４）さらに、本発明の光ノード装置は、少なくとも１本以上であるｐａ本の入力伝送路から入力される波長多重フレーム信号光をそれぞれ入力され波長分離して出力しうる、ｐａ個の入力側波長合分波素子と、前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、該スイッチモジュールにおいて出力伝送路が対応付けられたフレーム信号光について、当該対応付けられた出力伝送路ごとに波長多重しうる、ｐｂ個の出力側波長合分波素子と、該スイッチモジュールを監視制御するための基準光光源であって、該入力側波長合分波素子および該出力側波長合分波素子での分波分解能をカバーする波長帯域幅を有する多波長光を基準光として出力しうる基準光光源と、をそなえ、該ｐｂ個の出力側波長合分波素子のそれぞれは、少なくとも２つの第１ポートおよび第２ポートをそれぞれそなえるとともに、各出力側波長合分波素子の該第１ポートのうちの一は対応する該出力伝送路に接続されるとともに、該第１ポートのうちの他は該基準光光源に接続され、かつ、各第２ポートはそれぞれ該スイッチモジュールの出力端に接続されたことを特徴としている。【００２６】
（５）上述の（４）の光ノード装置において、該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、該第２ポートはそれぞれ該スイッチモジュールの入力端に接続され、かつ、該ｐａ個の入力側波長合分波素子の前記第１ポートのうちの他に接続され、該基準光光源からの基準光をモニタする第１モニタ部をそなえることもできる。【００２７】
（６）また、上述の（４）の光ノード装置において、該ｐａ個の入力側波長合分波素子の該第２ポートと該スイッチモジュールの入力端との間には、それぞれ前記基準光光源から出力され該スイッチモジュールを導通した基準光又は前記入力伝送路からの光についての波長分離光をモニタする第２モニタ部をそなえることもできる。
（７）さらに、上述の（１）又は（４）の光ノード装置においては、該基準光光源は、前記フレーム信号光の波長帯と実質的に同等の波長帯の多波長光を出力することとしてもよい。【００２８】
（８）また、上述の（１）又は（４）の光ノード装置においては、該基準光光源は、前記フレーム信号光の波長帯と実質的に異なる波長帯の多波長光を出力することとしてもよい。
（９）さらに、上述の（１）又は（４）の光ノード装置においては、好ましくは、該ｐａ個の入力側波長合分波素子および該ｐｂ個の出力側波長合分波素子のそれぞれは、アレイ導波路格子とする。【００２９】
（１０）また、上述の（２）又は（５）の光ノード装置においては、該スイッチモジュールにおける該入力端および該出力端との間でフレーム信号光を伝搬する光方路を設定するための制御情報を記憶する制御情報記憶部と、該制御情報記憶部に記憶された制御情報を参照して、該スイッチモジュールにおける前記入力端および出力端の切り替えのための制御を当該スイッチモジュールに対して行なう制御部と、該モニタ部におけるモニタ結果に基づいて、該制御情報記憶部にて記憶されている、該スイッチモジュールにおいて切り替え設定可能な光方路をなす前記入力端および出力端の組み合わせに応じた前記制御情報について、更新制御する更新制御部と、をそなえることもできる。【００３０】
（１１）さらに、上述の（１０）の光ノード装置において、該スイッチモジュールは、駆動電圧の供給により入力光が偏向する偏向素子をそなえ、該偏向素子に対する前記駆動電圧の供給により該入力端と該出力端との間の光方路が設定される偏向光スイッチとして構成され、該制御部が、前記光方路として設定すべき該入力端および出力端の組み合わせに関する情報を入力されるとともに、該制御情報記憶部の内容を参照することにより、該スイッチモジュールに対して供給すべき駆動電圧を制御する制御信号を出力する駆動電圧制御部と、該駆動電圧制御部からの前記制御信号により制御された駆動電圧を該スイッチモジュールに供給する駆動電圧供給部と、をそなえ、該更新制御部は、該モニタ部からのモニタ結果をもとに、該制御情報記憶部において該制御情報として記憶されている、更新制御の対象となる光方路にかかる駆動電圧制御用の情報を更新制御することとしてもよい。【００３１】
（１２）また、上述の（１１）の光ノード装置において、該更新制御部における前記更新制御の対象となる光方路は、該スイッチモジュールで前記入力伝送路および前記出力伝送路間でのスイッチングの待機状態にある光方路であることとすることができる。
（１３）さらに、上述の（１）又は（４）の光ノード装置において、入力光について波長変換を行なう波長変換部をそなえるとともに、該スイッチモジュールは、前記切り替えがなされた光を該波長変換部へ導く出力端ととともに、該波長変換部で前記波長変換が行なわれた光について前記いずれかの出力伝送路へ通じる出力端へ切り替えて出力すべく該スイッチモジュールに再入力させる入力端を更にそなえることとしてもよい。
【発明の効果】
【００３２】
このように、本発明によれば、搭載すべき光素子の部品点数を大幅に削減できるので、光配線の簡素化を実現し、製造工数を削減させ、装置構成のためのコストを低減させることができる利点がある。
【図面の簡単な説明】
【００３３】
【図１】本発明の第１実施形態にかかる光ノード装置を示す図である。
【図２】（ａ）〜（ｃ）はいずれもＬバンド多波長光源を示す図である。
【図３】（ａ）は波長合分波素子を示す図であり、（ｂ）は波長合分波素子の分波特性を説明する図である。
【図４】（ａ），（ｂ）はともに光スペクトルアナライザを示す図である。
【図５】本発明の第１実施形態の変形例にかかる光ノード装置を示す図である。
【図６】（ａ）は波長合分波素子を示す図であり、（ｂ）は波長合分波素子の分波特性を説明する図である。
【図７】本発明の第２実施形態にかかる光ノード装置を示す図である。
【図８】本発明の第２実施形態の変形例にかかる光ノード装置を示す図である。
【図９】第２実施形態の変形例におけるモニタ部を示す図である。
【図１０】本発明が解決すべき課題について説明するための図である。
【図１１】本発明が解決すべき課題について説明するための図である。
【符号の説明】
【００３４】
１，１０１    入力側波長合分波素子
１ａ−１，１ａ−２，１０１ａ，３ａ−１，３ａ−２    第１ポート
１ｂ−１〜１ｂ−ｎ，１０１ｂ−１〜１０１ｂ−ｎ，３ｂ−１〜３ｂ−ｎ    第２ポート
３，１０３    出力側波長合分波素子
４，４１〜４３    Ｌバンド多波長光源
４Ａ    Ｃバンド多波長光源
４ａ    ＬＤ
４ｂ    ＳＬＥＤ
４ｃ    多峰性フィルタ
４ｄ    光アンプ
５，５Ａ    フォトダイオード
５Ｂ    光スペクトルアナライザ
６    遅延部
７    モニタ部（第２モニタ部）
７ａ    反射ミラー
７ｂ    受光素子
８    光カプラ
９，９Ａ，９Ｂ    光スペクトルアナライザ
９ａ    ＡＷＧ
９ｂ−１〜９ｂ−ｎ，９ｄ    フォトダイオード
９ｃ    可変光フィルタ
１０〜１３，１００，１３０    光ノード装置
２１，２３，２５，２６    光カプラ
２２，２４    フォトダイオード
１０２    光マトリクススイッチ（スイッチモジュール）
１０２ａ    入力端
１０２ｂ    出力端
１０４    駆動電圧供給部
１０５    制御情報記憶部
１０６    駆動電圧制御部
１０９    更新制御部
１１０，１１０Ａ    波長変換部
１１１    入力信号光モニタ
１１２    光源
１１３    入力基準光モニタ
１１４    １×Ｎカプラ
１１５，１１６    Ｃ／Ｌ分離カプラ
１１７    出力基準光モニタ（フォトダイオード）
１１８    光カプラ
１１９ａ，１１９ｂ    光サーキュレータ
１２１    入力伝送路
１２２    出力伝送路
１２３，１２４    光アンプ
【発明を実施するための最良の形態】
【００３５】
以下、図面を参照することにより、本発明の実施の形態について説明する。
なお、本発明は、以下の実施の形態に限定されるものではない。又、上述の本願発明の目的のほか、他の技術的課題，その技術的課題を解決する手段及び作用効果についても、以下の実施の形態による開示によって明らかとなる。
〔Ａ〕第１実施形態の説明
図１は本発明の第１実施形態にかかる光ノード装置１０を示す図である。この図１に示す光ノード装置１０は、光バーストスイッチングの応答速度としてマイクロ秒（μｓ）オーダの性能を有するＷＤＭスイッチングノードとして適用しうるものである。又、第１実施形態にかかる光ノード装置１０は、前述の図１０に示す光ノード装置１００に比して、基準光を光マトリクススイッチ１０２へ導通するための構成が異なっている。尚、図１中、図１０と同一の符号はほぼ同様の部分を示している。【００３６】
ここで、この図１に示す光ノード装置１０においては、複数であるｐ本の入力伝送路１２１を通じて例えばＣバンドの波長帯を有する波長多重フレーム信号光を入力されるとともに、この波長多重フレーム信号光についてフレーム単位および波長単位に出力先方路を切り替えて、上述のｐ本の出力伝送路１２２のうちのいずれかへ出力するようになっている。尚、第１実施形態においては、入出力伝送路１２１，１２２の本数についてはいずれも複数である同一本数ｐ本としているが、入力伝送路１２１については少なくとも１本以上であるｐａ本を導入する一方、出力伝送路１２２については複数本であるｐｂ本を導入することとしてもよい。【００３７】
また、第１実施形態における光ノード装置１０において、入力伝送路１２１からの波長多重フレーム信号光は、それぞれ、ＡＷＧからなる入力側波長合分波素子１でチャンネル毎のフレーム信号光に波長分離され、Ｎ×Ｎの光マトリクススイッチ１０２に入力されるようになっているが、この入力側波長合分波素子１においては、基準光光源としてのＬバンド多波長光源４から出力されるＬバンド多波長光についても、この入力側波長合分波素子１で波長分離されて、上述のフレーム信号光とともに光マトリクススイッチ１０２に入力されるようになっている。【００３８】
すなわち、Ｌバンド多波長光源４は、光マトリクススイッチ１０２を監視制御するための基準光光源であって、入力側波長合分波素子１０１およびでの分波分解能をカバーする波長帯域幅を有するＬバンド多波長光を基準光として出力することができるようになっている。このＬバンド多波長光源４としては、例えば図２（ａ）〜図２（ｃ）のいずれかの構成とすることができるようになっている。【００３９】
ここで、図２（ａ）に示すＬバンド多波長光源４１は、Ｌバンドで互いに異なる発光波長を有する複数のＬバンド光源をなすＬＤ（Laser Diode）４ａがアレイ状に配置されてなるＬＤアレイとして構成されたものである。又、図２（ｂ）に示すＬバンド多波長光源４２は、ＳＬＥＤ（Superluminescent Light Emitting Diode）４ｂおよび多峰性フィルタ４ｃをそなえて構成されたものであり、更に図２（ｃ）に示すＬバンド多波長光源４３のように、図２（ｂ）に示す多峰性フィルタ４ｃの後段に光アンプ４ｄをそなえた構成としてもよい。【００４０】
さらに、入力側波長合分波素子１のそれぞれは、例えば図３（ａ）に示すように、２つの第１ポート１ａ−１，１ａ−２および収容可能な最大の波長多重数ｎに対応する数の第２ポート１ｂ−１〜１ｂ−ｎをそれぞれそなえるとともに、各入力側波長合分波素子１をなす第１ポート１ａのうちの一（１ａ−１）は入力伝送路１２１に接続されるとともに、第１ポート１ａのうちの他（１ａ−２）はＬバンド多波長光源４に接続され、且つ各第２ポート１ｂ−１〜１ｂ−ｎはそれぞれ光マトリクススイッチ１０２の入力端（入力ポート）１０２ａに接続されている。尚、第１ポート１ａは２つ以上そなえることとしても差し支えなく、第２ポート１ｂについても上述の波長多重数に応じて少なくとも２つ以上とすれば差し支えない。【００４１】
ここで、入力側波長合分波素子１をなすＡＷＧにおいては、入力ポートをなす第１ポート１ａ−１から入力された光を波長多重されているチャンネルごとのフレーム信号光に波長分離させて、波長多重数分そなえられた出力ポートをなす第２ポート１ｂ−１〜１ｂ−ｎを通じて、それぞれ別個の光伝搬路を通じて伝搬させることができるようになっている。又、第１ポート１ａ−２から入力された基準光についてもチャンネル間隔に相当する波長間隔で波長分離させて、第２ポート１ｂ−１〜１ｂ−ｎを通じてフレーム信号光とともに伝搬させることができるようになっている。【００４２】
図３（ｂ）は、第１ポート１ａ−１に入力される波長多重フレーム信号光が波長λ１〜λｎを有し、第２ポート１ａ−２に入力されるＬバンド多波長光が波長λＬ１〜λＬｎを有している場合において、第２ポート１ｂ−１〜１ｂ−ｎから出力される波長分離光についてのフレーム信号光成分および基準光成分の波長を説明するための図である。この図３（ｂ）に示すように、第２ポート１ｂ−１〜１ｂ−ｎには、それぞれ、λ１〜λｎのフレーム信号光およびλＬ１〜λＬｎの基準光が出力されるようになっている。【００４３】
これにより、光マトリクススイッチ１０２の各入力端１０２ａには、方路切り替え対象のフレーム信号光とともに制御情報記憶部１０５の内容の更新のための基準光についても入力させることができるようになっている。そして、各方路切り替え対象となるフレーム信号光のチャンネル（波長）λｉ（ｉ＝１〜ｎ）と、併せて入力端１０２ａへ入力されている基準光の波長λＬｉとは対応付けられるようになっている。【００４４】
したがって、前述の図１０に示す光ノード装置１００と対比して、波長多重光の波長ごとの方路切り替えのために本来必要とされていた入力側波長合分波素子１をなすＡＷＧの入力に、Ｌバンド多波長光源４をも接続させることにより、Ｌバンド多波長光源４をフレーム信号光の伝搬路に導入するための光素子である、（波長多重数ｎ×入力伝送路数ｐ）個分のＣ／Ｌ分離カプラ１１５の搭載を削減させている。【００４５】
光マトリクススイッチ（スイッチモジュール）１０２は、前述の図１０に示すものと同様に、ｐ本の入力伝送路１２１からの波長多重フレーム信号光についてのチャンネルごとのフレーム信号光を個別に導入する入力端１０２ａをそなえるとともに、各入力端１０２ａから入力されたフレーム信号光についてｐ本の出力伝送路１２２のうちのいずれかへフレーム単位でチャンネルごとに導くための出力端１０２ｂ（出力ポート）をそなえ、さらに、波長変換用にそなえられたそれぞれｍ個（図１中においては２個）の出力端１０２ｂおよび入力端１０２ａをもそなえている。【００４６】
そして、光マトリクススイッチ１０２は、駆動電圧の供給により入力光が偏向する光偏向素子をそなえ、駆動電圧供給部１０４からの光偏向素子に対する駆動電圧の供給により入力端１０２ａと出力端１０２ｂとの間の光方路が設定される偏向光スイッチとして構成される。
すなわち、上述のごとく光マトリクススイッチ１０２の各入力端１０２ａに導入されたフレーム信号光および基準光は、駆動電圧供給部１０４からの駆動電圧の供給を通じて、光マトリクススイッチ１０２をなす光偏向素子で適宜偏向されて、出力先となる出力伝送路１２２へ通じる出力端１０２ｂから出力させることができるようになっている。換言すれば、入力側波長合分波素子１で波長分離された各フレーム信号光および基準光を、個別に対応してそなえられる入力端１０２ａから入力されるとともに、入力端１０２ａから入力された各フレーム信号光および基準光について、ｐｂ本のうちのいずれかの出力伝送路１２２へ通じる波長毎に対応付けられた出力端１０２ｂへ切り替えて出力する。【００４７】
なお、前述の図１０に示すものと同様に、制御情報記憶部１０５は、設定すべき光方路に応じて、上述の駆動電圧供給部１０４で供給すべき駆動電圧に関する情報を記憶するものであり、駆動電圧制御部１０６は、設定すべき光方路に応じて、制御情報記憶部１０５の内容を参照することにより、光マトリクススイッチ１０２をなす光偏向素子に対して供給すべき駆動電圧を制御するための制御信号を駆動電圧供給部１０４に対して出力する。【００４８】
そして、駆動電圧供給部１０４においては、駆動電圧制御部１０６からの制御信号により制御された駆動電圧を光マトリクススイッチ１０２に供給することができる。従って、上述の駆動電圧制御部１０６および駆動電圧供給部１０４により、制御情報記憶部１０５に記憶された制御情報を参照して、光マトリクススイッチ１０２における入力端１０２ａおよび出力端１０２ｂの切り替えのための制御を光マトリクススイッチ１０２に対して行なう制御部を構成する。【００４９】
また、５は、前述した各入力側波長合分波素子１の第２ポート１ｂ−１〜１ｂ−ｎと光マトリクススイッチ１０２の入力端１０２ａとの間に光カプラ１１８を通じてそなえられ、Ｌバンド多波長光源４又は入力伝送路１２１からの光についての波長分離光、即ち入力側波長合分波素子１で波長分離された各光をモニタする第２モニタ部としてのフォトダイオード（ＰＤ）である。【００５０】
すなわち、入力側波長合分波素子１０１で波長分離されたチャンネルごとのフレーム信号光のレベルを光カプラ１１８を介してフォトダイオード５でそれぞれモニタするとともに、駆動電圧制御部１０６において、そのモニタ結果から、等化目標出力レベルと光マトリクススイッチ１０２および波長多重部１０３等における固定的な損失分を差し引いた値を目標減衰付加量として導出し、その目標減衰付加量を実現する駆動電圧情報を制御情報記憶部１０５から取り出して、駆動電圧供給部１０４へ制御信号する。これにより、方路切り替え処理を経て各出力端から出力される光のレベル等化についても実現している。【００５１】
ここで、フォトダイオード５に関し、上述のごときフレーム信号光が光マトリクススイッチ１０２に入力されることとなる光伝播路上にそなえられたものは、入力伝送路１２１からのフレーム信号光の波長分離光のパワーをモニタし、モニタ結果を駆動電圧制御部１０６に出力する入力信号光モニタとして機能する。一方、上述のフレーム信号光が入力されず光方路の設定待機状態にある光伝播路上にそなえられたフォトダイオード５については、Ｌバンド多波長基準光光源４からの基準光についての波長分離光のパワーをモニタし、モニタ結果を更新制御部１０９に出力する入力基準光モニタとして機能する。【００５２】
すなわち、入力側波長合分波素子１で波長分離され出力されるフレーム信号光と基準光とは、そのパワーが相違（例えばフレーム信号光が＋０ｄＢｍ程度であるのに対し基準光は−１５ｄＢｍ程度）するように、Ｌバンド多波長光源４の出力パワーが設定されている。これにより、フレーム信号光および基準光のモニタ用に共通のフォトダイオード５を使用しながら、フレーム信号光が入力されると入力信号光モニタとして機能し、入力伝送路１２１からのフレーム信号光の入力待機状態では、入力基準光モニタとして機能するのである。尚、フォトダイオード５としては、少なくとも上述のごときパワーが相違する光をモニタしうるような受光感度のダイナミックレンジを有するものを適用する。【００５３】
なお、上述の入力伝送路１２１からのフレーム信号光の入力待機状態とは、上述の駆動電圧制御部１０６および駆動電圧供給部１０４からの光マトリクススイッチ１０２への駆動電圧供給制御を通じてフレーム信号光の導通のために光マトリクススイッチ１０２内で設定されていない光方路について指すものである。又、光方路とは、駆動電圧の供給を受けて、光マトリクススイッチ１０２で形成される一対の入力端および出力端が結ばれる経路を示すものである。又、駆動電圧制御部１０６においては、光マトリクススイッチ１０２内における複数の光方路の設定を確立させ個別に管理することができるほか、併せて入力待機状態にかかる光方路についても個別に管理することができる。【００５４】
また、光マトリクススイッチ１０２の出力端１０２ｂから出力された光は、出力先となる出力伝送路１２２に導出される前段において、ＡＷＧからなる出力側波長合分波素子３で波長多重されるようになっている。即ち、出力側波長合分波素子３は、接続される出力伝送路１２２ごとにそなえられ、光マトリクススイッチ１０２において出力伝送路１２２が対応付けられたフレーム信号光について、当該対応付けられた出力伝送路１２２ごとに波長多重して出力する。【００５５】
ここで、出力側波長合分波素子３についても、図３（ａ）に示すように、２つの第１ポート３ａおよび波長多重数分の第２ポート３ｂ−１〜３ｂ−ｎをそなえている。そして、ｎ個の第２ポート３ｂ−１〜３ｂ−ｎは、光マトリクススイッチ１０２の出力端１０２ｂにそれぞれ出力されるとともに、第１ポート３ａ−１，３ａ−２のうちの一（第１ポート３ａ−１）は対応する出力伝送路１２２に接続されるとともに、他の第１ポート３ａ−２は光カプラ８を介して第１モニタ部としての光スペクトルアナライザ９に接続されている。【００５６】
このとき、出力側波長合分波素子３における第２，第１ポート３ｂ−１〜３ｂ−ｎ，３ａ−１，３ａ−２の入出力波長配置は、図３（ｂ）に示す入力側波長合分波素子１における第１，第２ポート１ａ−１，１ａ−２，１ｂ−１〜１ｂ−ｎの入出力波長配置と逆の波長配置となる。従って、光マトリクススイッチ１０２の出力端１０２ｂから、第２ポート３ｂ−１〜３ｂ−ｎに、それぞれ、波長λ１〜λｎのフレーム信号光とともにλＬ１〜λＬｎの基準光が入力された場合には、出力側波長合分波素子３の第１ポート３ａ−１にはフレーム信号光の波長多重光（波長λ１〜λｎの多重光）が出力され、第２ポート３ａ−２には基準光の波長多重光（波長λＬ１〜λＬｎの多重光）が出力されるようになる。【００５７】
これにより、第１ポート３ａ−１から出力されたフレーム信号光の波長多重光は、出力伝送路１２２に導かれ、第２ポート３ａ−２から出力された基準光の波長多重光は、光カプラ８を介して光スペクトルアナライザ９に出力されるようになっている。換言すれば、出力側波長合分波素子３においてフレーム信号光と基準光とを分離させることができるようになるのである。【００５８】
したがって、前述の図１０に示す光ノード装置１００と対比して、波長多重光の波長ごとの方路切り替えのために本来必要とされていた波長分離部３をなすＡＷＧで、基準光とフレーム信号光の波長多重光をそれぞれ分離させることができるので、光マトリクススイッチ１０２の出力に含まれる基準光を出力基準光モニタ１１７へ導くための光素子である、（波長多重数ｎ×出力伝送路数ｐ）個分のＣ／Ｌ分離カプラ１１６の搭載を削減させることができるようになる。【００５９】
第１モニタ部として機能する光スペクトルアナライザ９は、光カプラ８を介して上述した各出力側波長合分波素子３をなす第１ポート３ａ−２からの基準光を入力されて、この入力された基準光について波長成分ごとのパワーをモニタするものであり、Ｌバンド多波長光源４から光マトリクススイッチ１０２を通じて入力されるの基準光をモニタする出力基準光モニタとして機能する。この光スペクトルアナライザ９としては、例えば図４（ａ）又は図４（ｂ）に示すような簡易型の構成を採用することができる。【００６０】
この図４（ａ）に示す光スペクトルアナライザ９Ａは、入力される基準光について、光マトリクススイッチ１０２をなす各光方路を経由した波長λＬ１〜λＬｎ単位で波長分離するＡＷＧ９ａとともに、ＡＷＧ９ａで波長分離された各基準光成分のパワーをモニタするフォトダイオード９ｂ−１〜９ｂ−ｎをそなえたものである。又、図４（ｂ）に示す光スペクトルアナライザ９Ｂは、透過波長を波長λＬ１〜λＬｎのうちのいずれかに可変設定しうる可変光フィルタ９ｃとともに可変光フィルタ９ｃを透過した基準光成分のパワーをモニタするフォトダイオード９ｄをそなえたものである。【００６１】
更新制御部１０９においては、このように構成された出力基準光モニタとしての光スペクトルアナライザ９からのモニタ結果と、前述の入力基準光モニタとしてのフォトダイオード５からのモニタ結果と、を入力されて、上述の制御情報記憶部１０５に記憶されている駆動で何津情報を蓄積制御及び更新制御することができるようになっている。
なお、第１実施形態における更新制御部１０９では、入力伝送路１２１ごとについての光方路単位で、駆動電圧情報の更新対象とする光方路を切り替えることができる。具体的には、入力伝送路１２１対応にそなえられたＬバンド多波長光源４のうちのいずれかを動作（オン）状態とする一方、他のＬバンド多波長光源４を休止（オフ）状態とする。これにより、当該動作状態とされる基準光が入力される入力端と出力端とで形成される待機状態の光方路を導通する基準光について、基準光波長成分ごとに（又は光方路ごとに）、その入出力パワーをフォトダイオード５および光スペクトルアナライザ９でモニタすることができる。そして、更新制御部１０９においては、光方路単位での駆動電圧情報の更新を行なうことができる。【００６２】
なお、入力伝送路１２１からのフレーム信号光について波長変換を行なう場合には、光マトリクススイッチ１０２においては、対応する入力端１０２ａから、波長変換部１１０へ通じる出力端１０２ｂへと通じる光方路が設定されるようになっている。この場合において、光マトリクススイッチ１０２の上述の入力伝送路１２１に通じる入力端と、波長変換部１１０へ通じる出力端１０２ｂと、の間の光方路についての駆動電圧情報の更新制御を行なうこともできる。【００６３】
このために、光マトリクススイッチ１０２の（波長変換用の）出力端１０２ｂと波長変換部１１０との間には、基準光であるＬバンド光とフレーム信号光であるＣバンド光とを分離するＣ／Ｌ分離カプラ１１６が介装され、このＣ／Ｌ分離カプラ１１６で分離された基準光をなすＬバンド光については、光カプラ８を介して光スペクトルアナライザ９に入力されるようになっている。これにより、更新制御部１０９においては、上述の光方路の設定待機状態において、入力基準光の光パワーモニタ結果をフォトダイオード５から受け取る一方、出力基準光の光パワーモニタ結果を光スペクトルアナライザ９から受け取り、駆動電圧情報を更新することができる。【００６４】
同様に、波長変換部１１０で波長変換がなされたフレーム信号光を、出力先となる出力伝送路１２２へ導く光方路切り替えを行なうために、光マトリクススイッチ１０２に再入力させるための入力端１０２ａと、出力伝送路１２２へ通じる出力端１０２ｂと、の間に光方路が設定される。第1実施形態の光ノード装置１０においては、上述の光方路についての駆動電圧情報を更新制御することができる。【００６５】
すなわち、上述の入力端１０２ａから再入力される前段において、Ｌバンド多波長光源４からの基準光をＣ／Ｌ分離カプラ１１５を通じてフレーム信号光に合流させるようになっている。また、Ｌバンド多波長光源４からの入力基準光パワーについてモニタすべく、Ｃ／Ｌ分離カプラ１１５と入力端１０２ａとの間に光カプラ１１８およびフォトダイオード５を介装する。これにより、更新制御部１０９においては、入力基準光についてはフォトダイオード５で光パワーモニタ結果を受け取り、出力基準光については光スペクトルアナライザ９から光パワーモニタ結果を受け取ることにより、駆動電圧情報を更新することができるようになる。【００６６】
なお、この入力端１０２ａからのＬバンド多波長光の一部が出力端１０２ｂおよび出力側波長合分波素子３を通じて出力伝送路１２２へ混信することを避けるため、例えば、図２（ａ）に示すＬバンド多波長光源４１においては、更新制御部１０９からの制御を受けて、適切な波長のＬバンド光のみを発光させることもできる。又、図２（ａ）〜図２（ｃ）のいずれかの構成のＬバンド多波長光源４１〜４３において、出力伝送路１２２にＣ／Ｌ分離カプラ１１６を配置するようにして、出力伝送路１２２を伝搬するＬバンド光を遮断する構成としてもよい。【００６７】
上述のごとく構成された光ノード装置１０においては、入力伝送路１２１から波長多重されたフレーム信号光が入力されると、駆動電圧制御部１０６では光マトリクススイッチ１０２に対して駆動電圧供給部１０４を通じた駆動電圧制御により、当該入力されたフレーム信号光についての出力先とすべき出力伝送路１２２へ通じる光方路が設定される。これにより、フレーム信号光単位および波長単位での光方路の切り替えを行ない、又、フォトダイオード５でモニタされたフレーム信号光パワーに基づいて可変減衰制御についても行なわれる。【００６８】
なお、駆動電圧制御部１０６においては、フォトダイオード５からのモニタ結果に基づいてフレーム信号光の入力を検出すると、当該フレーム信号光に対応した光マトリクススイッチ１０２での方路設定制御を行なっている。遅延部６は、上述のフォトダイオード５でフレーム信号光入力を検出して方路設定制御が完了するまでの間は、フレーム信号光の光マトリクススイッチ１０２の入力端への入力を待機させるためのものである。【００６９】
ところで、更新制御部１０９においては、光マトリクススイッチ１０２における設定待機状態にある光方路を設定するための駆動電圧情報（可変減衰制御のための情報を含む）を更新する。このために、該当入力端に接続される光伝播路上のフォトダイオード５において入力基準光パワーをモニタするとともに、光スペクトルアナライザ９で該当出力端から出力された基準光パワーをモニタしている。【００７０】
このとき、波長多重光の波長ごとの方路切り替えのために本来必要とされていた入力側波長合分波素子１をなすＡＷＧの入力に、Ｌバンド多波長光源４をも接続させることにより、前述の図１０の光ノード装置１００にそなえられていた、Ｌバンド多波長光源４をフレーム信号光の伝搬路に導入するための光素子である、（波長多重数ｎ×入力伝送路数ｐ）個分のＣ／Ｌ分離カプラ１１５の搭載を削減させている。【００７１】
また、波長多重光の波長ごとの方路切り替えのために本来必要とされていた波長分離部３をなすＡＷＧで、基準光とフレーム信号光の波長多重光をそれぞれ分離させることができるので、図１０の光ノード装置１００にそなえられていた、光マトリクススイッチ１０２の出力に含まれる基準光を出力基準光モニタ１１７へ導くための光素子である、（波長多重数ｎ×出力伝送路数ｐ）個分のＣ／Ｌ分離カプラ１１６の搭載を削減させることができるようになる。【００７２】
このように、本発明の第１実施形態によれば、Ｌバンド多波長光源４，入力側波長合分波素子１および出力側波長合分波素子３をそなえたことにより、搭載すべき光素子の部品点数を大幅に削減できるので、光配線の簡素化を実現し、製造工数を削減させ、装置構成のためのコストを低減させることができる利点がある。
〔Ａ１〕第１実施形態の変形例の説明
図５は本発明の第１実施形態の変形例にかかる光ノード装置１１を示す図である。この図１に示す光ノード装置１１においては、前述の図１に示すものとは異なり、例えば図５，図６（ａ）に示すように、フレーム信号光の波長帯と実質的に同等の波長帯λ１〜λｎの多波長光を出力する基準光光源として、Ｃバンド多波長光源４Ａが、入力側波長合分波素子１をなすＡＷＧの第１ポート１ａ−２に入力されている。尚、Ｃバンド多波長光源４Ａとしては、前述の図２（ａ）〜図２（ｃ）に示すもの（符号４１〜４３）に準じて構成することができるほか、ＡＳＥ（Amplified Spontaneous Emission）光を発生する光素子を用いることとしてもよい。【００７３】
ここで、入力側波長合分波素子１には、上述したように実質的に同等の波長帯λ１〜λｎを有するフレーム信号光および基準光が入力されるが、この入力側波長合分波素子１をなす互いに異なる第１ポート１ａ−１，１ａ−２に入力されるようになっているので、第２ポート１ｂ−１〜１ｂ−ｎから出力される波長分離光については、フレーム信号光および基準光の波長成分がそれぞれ重ならないようにすることができる。これにより、基準光の入力によるフレーム信号光のコヒーレントクロストークを防止することができるようになる。【００７４】
具体的には、図６（ｂ）に示すように、第１ポート１ａ−１に入力される波長多重フレーム信号光が波長λ１〜λｎを有し、第２ポート１ａ−２に入力される基準光をなすＣバンド多波長光が波長λＬ１〜λＬｎを有している場合において、第２ポート１ｂ−１〜１ｂ−ｎから出力される波長分離光についてのフレーム信号光成分および基準光成分の波長を説明するための図である。この図６（ｂ）に示すように、第２ポート１ｂ−１〜１ｂ−ｎには、フレーム信号光成分としてそれぞれ波長成分λ１〜λｎが出力される一方、基準光成分としては、それぞれ波長成分λ２〜λｎ−１，λ１が出力されるようになっている。【００７５】
これにより、光マトリクススイッチ１０２の各入力端１０２ａには、方路切り替え対象のフレーム信号光とともに制御情報記憶部１０５の内容の更新のための基準光についても入力させることができるようになっている。そして、各方路切り替え対象となるフレーム信号光のチャンネル（波長）λ１〜λｎと、併せて入力端１０２ａへ入力されている基準光の波長λ２〜λｎ，λ１とは対応付けられるようになっている。【００７６】
したがって、この場合においても、波長多重光の波長ごとの方路切り替えのために本来必要とされていた入力側波長合分波素子１をなすＡＷＧの入力に、Ｃバンド多波長光源４Ａを接続させることにより、図１０の場合に必要とされた、Ｌバンド光源１１２をフレーム信号光の伝搬路に導入するための光素子である、（波長多重数ｎ×入力伝送路数ｐ）個分のＣ／Ｌ分離カプラ１１５の搭載を不用とさせている。【００７７】
また、出力側波長合分波素子３における第２，第１ポート３ｂ−１〜３ｂ−ｎ，３ａ−１，３ａ−２の入出力波長配置は、図６（ｂ）に示す入力側波長合分波素子１における第１，第２ポート１ａ−１，１ａ−２，１ｂ−１〜１ｂ−ｎの入出力波長配置と逆の波長配置となる。従って、光マトリクススイッチ１０２の出力端１０２ｂから、第２ポート３ｂ−１〜３ｂ−ｎに、それぞれ、波長λ１〜λｎのフレーム信号光とともにλ２〜λｎ−１，λ１の基準光が入力された場合には、出力側波長合分波素子３の第１ポート３ａ−１にはフレーム信号光の波長多重光（波長λ１〜λｎの多重光）が出力され、第２ポート３ａ−２には基準光の波長多重光（波長λ１〜λｎの多重光）が出力されるようになる。【００７８】
これにより、第１ポート３ａ−１から出力されたフレーム信号光の波長多重光は、出力伝送路１２２に導かれ、第２ポート３ａ−２から出力された基準光の波長多重光は、光カプラ８を介して光スペクトルアナライザ９に出力されるようになっている。換言すれば、出力側波長合分波素子３においてフレーム信号光と基準光とを分離させることができるようになるのである。【００７９】
したがって、波長多重光の波長ごとの方路切り替えのために本来必要とされていた波長分離部３をなすＡＷＧで、基準光とフレーム信号光の波長多重光をそれぞれ分離させることができるので、図１０の場合には必要とされていた、光マトリクススイッチ１０２の出力に含まれる基準光を出力基準光モニタ１１７へ導くための光素子である、（波長多重数ｎ×出力伝送路数ｐ）個分のＣ／Ｌ分離カプラ１１６の搭載を不用とすることができるようになる。【００８０】
なお、入力伝送路１２１からのフレーム信号光について波長変換を行なう場合には、光マトリクススイッチ１０２においては、入力端１０２ａから波長変換部１１０Ａへ通じる出力端１０２ｂへ通じる光方路が設定されるようになっている。このような波長変換のための光方路が設定待機状態である場合において、光マトリクススイッチ１０２における上述の波長変換対象となるフレーム信号光が入力される入力端と、波長変換部１１０Ａへ通じる出力端１０２ｂと、の間の光方路についての駆動電圧情報の更新制御を行なうこともできる。【００８１】
このために、光マトリクススイッチ１０２の（波長変換用の）出力端１０２ｂと波長変換部１１０Ａとの間には、基準光であるＣバンド光のパワーをモニタするための光カプラ２１およびフォトダイオード２２がそなえらえる。これにより、更新制御部１０９においては、更新対象の光方路を通じて出力された出力基準光の光パワーのモニタ結果をフォトダイオード２２から受け取るとともに、更新対象の光方路に入力される際の入力基準光のモニタ結果は該当入力端における光伝搬路上のフォトダイオード５から受け取ることにより、駆動電圧情報を更新することができるようになる。【００８２】
また、波長変換部１１０Ａで波長変換がなされたフレーム信号光を、出力先となる出力伝送路１２２へ導く光方路切り替えを行なうために、光マトリクススイッチ１０２に再入力させるための入力端１０２ａと、出力先となる出力伝送路１２２へ通じる出力端１０２ｂと、の間に光方路が設定される。図５に示す光ノード装置１１においては、当該波長変換のための光方路が設定待機状態である場合において、このように設定される光方路の駆動電圧情報についても更新制御を行なうこともできる。【００８３】
このために、波長変換部１１０Ａでは、更新制御部１０９からの制御を受けて自身において基準光としてＣバンド光を発光することができるようになっている。又、波長変換部１１０Ａで発光する光のパワーを入力基準光パワーとしてモニタするために、光カプラ２３およびフォトダイオード２４をそなえる。これにより、更新制御部１０９では、光マトリクススイッチ１０２に再入力される際の入力基準光の光パワーをモニタ結果した結果をフォトダイオード２４から受け取る一方、更新対象の光方路を通じて出力された出力基準光パワーのモニタ結果を光スペクトルアナライザ９から受け取ることにより、駆動電圧情報を更新することができるようになる。【００８４】
したがって、図５に示す光ノード装置１１においても、前述の第１実施形態の場合と同様の利点を得ることができる。
〔Ｂ〕第２実施形態の説明
図７は本発明の第２実施形態にかかる光ノード装置１２を示す図である。この図７に示す光ノード装置１２においては、前述の図１に示すものとは異なり、基準光光源をなすＣバンド多波長光源４Ａから出力される基準光を出力側から導入するとともに、出力基準光をモニタする光スペクトルアナライザ９を入力側にそなえている。尚、図７中、図５と同一の符号はほぼ同様の部分を示している。【００８５】
ここで、ｐ個の出力側波長合分波素子３それぞれの第１ポート３ａ−１，３ａ−２のうちの一のポート３ａ−１は、対応する出力伝送路１２２に接続されているが、第１ポート３ａ−１，３ａ−２のうちの他のポート３ａ−２は、カプラ２５，２６を介してＣバンド多波長光源４Ａに接続され、かつ、各第２ポート３ｂ−１〜３ｂ−ｎはそれぞれ光マトリクススイッチ１０２の出力端に接続されている。【００８６】
これにより、光マトリクススイッチ１０２の出力端１０２ｂから出力されるフレーム信号光については、この出力側波長合分波素子３で波長多重されて、第１ポート３ａ−１を通じて出力伝送路１２２に出力されるようになっているが、Ｃバンド多波長光源４Ａからの基準光については、この出力側波長合分波素子３で波長分離されて、第２ポート３ｂ−１〜３ｂ−ｎを通じて光マトリクススイッチ１０２の出力端１０２ｂに出力されるようになっている。【００８７】
ここで、光カプラ２５はＣバンド多波長光源４Ａから出力され光カプラ２６に出力される基準光の一部を分岐して光スペクトルアナライザ５Ｂに出力する。又、光スペクトルアナライザ５Ｂは、Ｃバンド多波長光源４Ａから出力されるＣバンド帯多波長の基準光の各波長成分のパワーについてモニタするものであり、前述の図４（ａ）又は図４（ｂ）に示す構成に準じて構成することができる。【００８８】
換言すれば、光スペクトルアナライザ５Ｂは、Ｃバンド多波長光源４Ａと光カプラ２６との間に、Ｃバンド多波長光源４Ａからの光についてモニタする第２モニタ部であり、基準光が光マトリクススイッチ１０２に入力される前段での光パワーをモニタする入力基準光モニタとしての機能を有する。
また、光カプラ２６は、Ｃバンド多波長光源４Ａからの光カプラ２５を介して入力された基準光を、出力側波長合分波素子３の個数分分岐して、それぞれの第１ポート３ａ−２に出力するようになっている。即ち、光カプラ２６は、Ｃバンド多波長光源４Ａからの基準光をｐｂ個（この場合はｐ個）に分岐する分岐部であり、光カプラ２６で分岐された分岐光路が、各出力側波長合分波素子３をなす第１ポート３ａ−１，３ａ−２のうちの他のポート３ａ−２に接続される。【００８９】
なお、出力側波長合分波素子３の第１ポート３ａ−２から入力された光について波長分離された光波長と各第２ポート３ｂ−１〜３ｂ−ｎとの対応は、前述の図６（ｂ）での態様と入出力を逆とした場合と同様である。従って、各出力側波長合分波素子３の第１ポート３ａ−２から入力された基準光は波長分離されて、第２ポート３ｂ−１〜３ｂ−ｎから、それぞれ波長λ２〜λｎ−１，λ１の光がそれぞれ光マトリクススイッチ１０２の出力端側へ出力される。【００９０】
また、ｐ個の入力側波長合分波素子１それぞれの第１ポート１ａ−１，１ａ−２のうちの一のポート１ａ−１には入力伝送路１２１が接続されているが、他のポート１ａ−２には光スペクトルアナライザ９に接続されている。この光スペクトルアナライザ９は、基準光光源としてのＣバンド多波長光源４Ａからの基準光を、光カプラ２５，２６，出力側波長合分波素子３，光マトリクススイッチ１０２および入力側波長合分波素子１を通じて出力基準光として入力されて、このＣバンド多波長光源４Ａからの基準光をモニタする第１モニタ部であり、モニタ結果については更新制御部１０９に出力されるようになっている。換言すれば、光スペクトルアナライザ９は、基準光が光マトリクススイッチ１０２から出力された後段での光パワーをモニタする出力基準光モニタとして機能する。【００９１】
なお、第２実施形態においては、波長変換部１１０を経由する光方路に関する駆動電圧情報を更新制御すべく、基準光の入出力パワーをモニタするために、光サーキュレータ１１９ａ，１１９ｂおよびフォトダイオード１１７をそなえている。
光サーキュレータ１１９ａは、Ｃバンド多波長光源４Ａからの基準光を、光マトリクススイッチ１０２の出力端を通じて入力端側に出力するものであり、これにより、入力伝送路１２１からの光を導く光伝搬路に接続される入力端１０２ａと、波長変換部１１０に導く出力端１０２ｂと、の間の光方路について、入出力基準光パワーをモニタすることを通じ、駆動電圧情報を更新することができるようになる。【００９２】
なお、この波長変換のための入力端１０２ａへのＣバンド多波長光の一部が、入力伝送路１２１においてフレーム信号光の伝搬方向とは反対方向で混信することを避けるため、ロス補償用の光アンプ１２３と入力側波長合分波素子１の間に光アイソレータ１２０を介装することができるが、光アンプ１２３に光アイソレータ１２０と同様の機能が内蔵されている場合にも、同様に混信を避けることができる。【００９３】
また、フォトダイオード１１７は、波長変換部１１０から再入力される入力端１０２ａと、出力伝送路１２２へ光を導く出力端１０２ｂと、の間の光方路に関し、出力端１０２ｂ側から入力端１０２ａ側へ導通された基準光を光サーキュレータ１１９ｂを介して受光しモニタするものである。これにより、この光方路についても、入出力基準光パワーをモニタすることを通じ駆動電圧情報を更新することができるようになる。【００９４】
なお、５Ａは入力側波長合分波素子１で波長分離されたフレーム信号光の光パワーについてモニタする入力信号光モニタとしてのフォトダイオードである。
上述のごとく構成された第２実施形態にかかる光ノード装置１２においても、入力伝送路１２１から波長多重されたフレーム信号光が入力されると、駆動電圧制御部１０６では光マトリクススイッチ１０２に対して駆動電圧供給部１０４を通じた駆動電圧制御により、当該入力されたフレーム信号光についての出力先とすべき出力伝送路１２２へ通じる光方路が設定される。これにより、フレーム信号光単位および波長単位での光方路の切り替えを行ない、又、フォトダイオード５Ａでモニタされたフレーム信号光パワーに基づいて可変減衰制御についても行なわれる。【００９５】
なお、駆動電圧制御部１０６においては、フォトダイオード５Ａからのモニタ結果に基づいてフレーム信号光の入力を検出すると、当該フレーム信号光に対応した光マトリクススイッチ１０２での方路設定制御を行なっている。遅延部６は、上述のフォトダイオード５でフレーム信号光入力を検出して方路設定制御が完了するまでの間は、フレーム信号光の光マトリクススイッチ１０２の入力端への入力を待機させるためのものである。【００９６】
ところで、更新制御部１０９においては、光マトリクススイッチ１０２における設定待機状態にある光方路を設定するための駆動電圧情報（可変減衰制御のための情報を含む）を更新する。このために、Ｃバンド多波長光源４Ａからの基準光をフレーム信号光の出力側から入力側に向けて導通させ、入力基準光パワーを光スペクトルアナライザ５Ｂでモニタするとともに、該当入力端に接続される光伝播路上の入力側光合分波素子１の第１ポート１ａ−２に接続された光スペクトルアナライザ９において出力基準光パワーをモニタしている。【００９７】
このとき、波長多重光の波長ごとの方路切り替えのために本来必要とされていた出力側波長合分波素子３をなすＡＷＧの第１ポート３ａ−２に、光カプラ２５，２６を介してＣバンド多波長光源４Ａを接続させることにより、前述の図１１の光ノード装置１３０にそなえられていた、Ｌバンド光源１１２をフレーム信号光の伝搬路に導入するための光素子である、（波長多重数ｎ×出力伝送路数ｐ）個分の光サーキュレータ１１９ａの搭載を削減させている。【００９８】
また、波長多重光の波長ごとの方路切り替えのために本来必要とされていた入力側波長合分波素子１をなすＡＷＧの第１ポート１ａ−２に、光スペクトルアナライザ９を接続することができるので、図１１の光ノード装置１３０にそなえられていた、基準光を出力基準光モニタ１１７へ導くための光素子である、（波長多重数ｎ×入力伝送路数ｐ）個分の光サーキュレータ１１９ｂの搭載を削減させることもできるようになる。【００９９】
このように、本発明の第２実施形態においても、Ｃバンド多波長光源４Ａ，入力側波長合分波素子１および出力側波長合分波素子３をそなえたことにより、搭載すべき光素子の部品点数を大幅に削減できるので、光配線の簡素化を実現し、製造工数を削減させ、装置構成のためのコストを低減させることができる利点がある。
〔Ｂ１〕第２実施形態の変形例の説明
図８は本発明の第２実施形態の変形例にかかる光ノード装置１３を示す図である。この図８に示す光ノード装置１３は、前述の図７に示す光ノード装置１２に比して、光マトリクススイッチ１０２を導通した基準光をモニタするための構成が異なっている。尚、図８中、図７と同一符号は同様の部分を示している。【０１００】
この図８に示す光ノード装置１３においては、光スペクトルアナライザ９で光マトリクススイッチ１０２を導通した出力基準光をモニタせずに、入力信号光をモニタするモニタ部７で併せて出力基準光をモニタするようになっている。尚、入力伝送路１２１からの波長多重フレーム信号光をそれぞれ波長分離する入力側波長合分波素子１０１は、前述の各実施形態の場合のように２つの第１ポート１ａ−１，１ａ−２をそなえたもの（符号１参照）とする必要はなく、前述の図１０に示す入力伝送路１２１に接続される単一の第１ポート１０１ａをそなえたものとしてもよい。【０１０１】
また、モニタ部７は、入力側波長合分波素子１０１における波長多重数対応の第２ポート１０１ｂ−１〜１０１−ｎと対応する光マトリクススイッチ１０２の入力端１０２ａとの間にそれぞれそなえられ、入力側波長合分波素子１０１側からのフレーム信号光のパワーをモニタするとともに、入力端１０２ａ側からの基準光成分をモニタすることができるようになっており、例えば図９に示すように構成されている。【０１０２】
この図９に示すように、モニタ部７は、入射される光を反射させるが一部を透過させる反射ミラー７ａをそなえるとともに、反射ミラー７ａで一部透過された光について受光しその光パワーに応じた電気信号を出力しうる受光素子７ｂをそなえて構成される。そして、反射ミラー７ａは、入力側波長合分波素子１０１側からの光の反射光は入力端１０２ａに向けた光伝搬路を伝搬するとともに、入力端１０２ａからの光の反射光については入力側波長合分波素子１０１に向けた光伝搬路を伝搬するように構成されている。【０１０３】
そして、入力側波長合分波素子１で波長分離され出力されるフレーム信号光と基準光とは、そのパワーが相違（例えばフレーム信号光が＋０ｄＢｍ程度であるのに対し基準光は−１５ｄＢｍ程度）するように、Ｃバンド多波長光源４Ａの出力パワーが設定されているので、フレーム信号光および基準光のモニタ用に共通の受光素子７を使用しながら、フレーム信号光が入力されると入力信号光モニタとして機能し、入力伝送路１２１からのフレーム信号光の入力待機状態では、出力基準光モニタとして機能するのである。尚、受光素子７ｂとしては、少なくとも上述のごときパワーが相違する光をモニタしうるように受光感度のダイナミックレンジを有するものを適用する。【０１０４】
したがって、上述のモニタ部７は、ｐ個の入力側波長合分波素子１０１の第２ポート１０１ｂ−１〜１０１ｂ−ｎと光マトリクススイッチ１０２の入力端１０２ａとの間には、それぞれＣバンド多波長光源４Ａから出力され光マトリクススイッチ１０２を導通した基準光又は入力伝送路１２１からの光についての波長分離光をモニタする第２モニタ部である。【０１０５】
なお、１２４は入力側波長合分波素子１０１で波長分離されたフレーム信号光について増幅する光アンプである。又、波長変換部１１０が接続される入力端１０２ａへのＣバンド多波長光の一部が、入力伝送路１２１においてフレーム信号光の伝搬方向とは反対方向で混信することを避けるため、入力導波路１２１に光アイソレータ１２０を配置することができるが、光アンプ１２４に光アイソレータ１２０と同様の機能が内蔵されている場合にも、同様に混信を避けることができる。【０１０６】
この光ノード装置１３においても、前述の第２実施形態の場合と同様に、波長多重光の波長ごとの方路切り替えのために本来必要とされていた出力側波長合分波素子３をなすＡＷＧの第１ポート３ａ−２に、光カプラ２５，２６を介してＣバンド多波長光源４Ａを接続させている。これにより、前述の図１１の光ノード装置１３０にそなえられていた、Ｌバンド光源１１２をフレーム信号光の伝搬路に導入するための光素子である、（波長多重数ｎ×出力伝送路数ｐ）個分の光サーキュレータ１１９ａの搭載を削減させており、第２実施形態の場合と同様の利点を得ることができる。【０１０７】
〔Ｃ〕その他
上述した実施形態にかかわらず、本発明の趣旨を逸脱しない範囲において種々変形して実施することが可能である。
たとえば、上述の図１に示す光ノード装置１０においては、各出力側波長合分波素子３から出力される基準光のパワーについて、光カプラ８を介して単一の光スペクトルアナライザ９でモニタしているが、本発明によれば、各出力側波長合分波素子３から出力される基準光のパワーをモニタするために個別に光スペクトルアナライザを設けることとしてもよい。この場合には、各入力側波長合分波素子１に個別に接続されるＬバンド多波長光源４を、単一のＬバンド多波長光源をそなえるとともに、このＬバンド多波長光源から出力される基準光について光カプラで分岐させたものを個別の入力側波長合分波素子１の第１ポート１ａ−２に供給することとしてもよい。即ち、このようにしても、基準光パワーをモニタすることにより光マトリクススイッチ１０２で形成される光方路ごとの駆動電圧情報について更新することができる。【０１０８】
さらに、図５に示す光ノード装置１１においても、上述の図１の場合に倣って、Ｃバンド多波長光源４Ａおよび光スペクトルアナライザ９のいずれか単一のものとし光カプラで取りまとめる構成とすることは可能であり、図７に示す光ノード装置１２においても、各出力側波長合分波素子３を通じて供給するＣバンド多波長光源４Ａを個別にそなえることとしてもよく、この場合には、各入力側波長合分波素子１に個別に接続される光スペクトルアナライザ９を光カプラ等を用いて一つの光スペクトルアナライザでモニタすべく取りまとめる構成としてもよい。【０１０９】
また、上述の各実施形態における光マトリクススイッチ１０２は、偏向光スイッチとして構成されているが、他の光スイッチ構成を採用することとしてもよい。
さらに、上述の各実施形態においては、更新制御部１０９での更新制御のために、基準光光源４，４Ａから出力され光マトリクススイッチ１０２を導通させた後の基準光のパワーとともに、導通させる前段でのパワーについてもモニタする構成をそなえているが、この前段でのパワーについては機知の値として制御情報記憶部１０５等に記憶させておくこととすれば、光マトリクススイッチ１０２を導通させる前段での基準光パワーをモニタする構成については省略してもよく、このようにしても同様に駆動電圧情報の更新制御を行なうことができる。【０１１０】
また、上述した実施形態の開示により、当業者であれば本願発明の装置を製造することは可能である。
【図１】
2008105097.tif 000003
【図２】
2008105097.tif 000004
【図３】
2008105097.tif 000005
【図４】
2008105097.tif 000006
【図５】
2008105097.tif 000007
【図６】
2008105097.tif 000008
【図７】
2008105097.tif 000009
【図８】
2008105097.tif 000010
【図９】
2008105097.tif 000011
【図１０】
2008105097.tif 000012
【図１１】
2008105097.tif 000013
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する基準光を出力しうる基準光光源と、をそなえ、
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、前記第１ポートのうちの他は該基準光光源に接続され、且つ各第２ポートはそれぞれ該スイッチモジュールの入力端に接続されたことを特徴とする、光ノード装置。
【請求項２】
該ｐｂ個の出力側波長合分波素子のそれぞれは、少なくとも２つの第１ポートおよび第２ポートをそれぞれそなえるとともに、前記第１ポートのうちの一は対応する該出力伝送路に接続されるとともに、各第２ポートはそれぞれ該スイッチモジュールの出力端に接続され、
かつ、該ｐｂ個の出力側波長合分波素子の前記第１ポートのうちの他に接続され、該基準光光源から該スイッチモジュールを通じて入力される基準光をモニタする第１モニタ部をそなえたことを特徴とする、請求項１記載の光ノード装置。
【請求項３】
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する多波長光を基準光として出力しうる基準光光源と、をそなえ、
該ｐｂ個の出力側波長合分波素子のそれぞれは、少なくとも２つの第１ポートおよび第２ポートをそれぞれそなえるとともに、各出力側波長合分波素子の該第１ポートのうちの一は対応する該出力伝送路に接続されるとともに、該第１ポートのうちの他は該基準光光源に接続され、かつ、各第２ポートはそれぞれ該スイッチモジュールの出力端に接続されたことを特徴とする、光ノード装置。
【請求項４】
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、該第２ポートはそれぞれ該スイッチモジュールの入力端に接続され、
かつ、該ｐａ個の入力側波長合分波素子の前記第１ポートのうちの他に接続され、該基準光光源からの基準光をモニタする第１モニタ部をそなえたことを特徴とする、請求項３記載の光ノード装置。
【請求項５】
該ｐａ個の入力側波長合分波素子の該第２ポートと該スイッチモジュールの入力端との間には、それぞれ前記基準光光源から出力され該スイッチモジュールを導通した基準光又は前記入力伝送路からの光についての波長分離光をモニタする第２モニタ部をそなえたことを特徴とする、請求項３記載の光ノード装置。
【請求項６】
該基準光光源は、前記フレーム信号光の波長帯と実質的に同等の波長帯の多波長光を出力することを特徴とする、請求項１又は３記載の光ノード装置。
【請求項７】
該基準光光源は、前記フレーム信号光の波長帯と実質的に異なる波長帯の多波長光を出力することを特徴とする、請求項１又は３記載の光ノード装置。
【請求項８】
該ｐａ個の入力側波長合分波素子および該ｐｂ個の出力側波長合分波素子のそれぞれは、アレイ導波路格子であることを特徴とする、請求項１又は３記載の光ノード装置。
【請求項９】
該スイッチモジュールにおける該入力端および該出力端との間でフレーム信号光を伝搬する光方路を設定するための制御情報を記憶する制御情報記憶部と、
該制御情報記憶部に記憶された制御情報を参照して、該スイッチモジュールにおける前記入力端および出力端の切り替えのための制御を当該スイッチモジュールに対して行なう制御部と、
該モニタ部におけるモニタ結果に基づいて、該制御情報記憶部にて記憶されている、該スイッチモジュールにおいて切り替え設定可能な光方路をなす前記入力端および出力端の組み合わせに応じた前記制御情報について、更新制御する更新制御部と、をそなえたことを特徴とする、請求項２又は４記載の光ノード装置。
【請求項１０】
入力光について波長変換を行なう波長変換部をそなえるとともに、
該スイッチモジュールは、前記切り替えがなされた光を該波長変換部へ導く出力端ととともに、該波長変換部で前記波長変換が行なわれた光について前記いずれかの出力伝送路へ通じる出力端へ切り替えて出力すべく該スイッチモジュールに再入力させる入力端を更にそなえたことを特徴とする、請求項１又は３記載の光ノード装置。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】変更
【補正の内容】
【００２５】
（３）さらに、本発明の光ノード装置は、少なくとも１本以上であるｐａ本の入力伝送路から入力される波長多重フレーム信号光をそれぞれ入力され波長分離して出力しうる、ｐａ個の入力側波長合分波素子と、前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッ
チモジュールと、該スイッチモジュールにおいて出力伝送路が対応付けられたフレーム信号光について、当該対応付けられた出力伝送路ごとに波長多重しうる、ｐｂ個の出力側波長合分波素子と、該スイッチモジュールを監視制御するための基準光光源であって、該入力側波長合分波素子および該出力側波長合分波素子での分波分解能をカバーする波長帯域幅を有する多波長光を基準光として出力しうる基準光光源と、をそなえ、該ｐｂ個の出力側波長合分波素子のそれぞれは、少なくとも２つの第１ポートおよび第２ポートをそれぞれそなえるとともに、各出力側波長合分波素子の該第１ポートのうちの一は対応する該出力伝送路に接続されるとともに、該第１ポートのうちの他は該基準光光源に接続され、かつ、各第２ポートはそれぞれ該スイッチモジュールの出力端に接続されたことを特徴としている。
【手続補正４】
【補正対象書類名】明細書
【補正対象項目名】００２６
【補正方法】変更
【補正の内容】
【００２６】
（４）上述の（３）の光ノード装置において、該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、該第２ポートはそれぞれ該スイッチモジュールの入力端に接続され、かつ、該ｐａ個の入力側波長合分波素子の前記第１ポートのうちの他に接続され、該基準光光源からの基準光をモニタする第１モニタ部をそなえることもできる。
【手続補正５】
【補正対象書類名】明細書
【補正対象項目名】００２７
【補正方法】変更
【補正の内容】
【００２７】
（５）また、上述の（３）の光ノード装置において、該ｐａ個の入力側波長合分波素子の該第２ポートと該スイッチモジュールの入力端との間には、それぞれ前記基準光光源から出力され該スイッチモジュールを導通した基準光又は前記入力伝送路からの光についての波長分離光をモニタする第２モニタ部をそなえることもできる。
（６）さらに、上述の（１）又は（３）の光ノード装置においては、該基準光光源は、前記フレーム信号光の波長帯と実質的に同等の波長帯の多波長光を出力することとしてもよい。
【手続補正６】
【補正対象書類名】明細書
【補正対象項目名】００２８
【補正方法】変更
【補正の内容】
【００２８】
（７）また、上述の（１）又は（３）の光ノード装置においては、該基準光光源は、前記フレーム信号光の波長帯と実質的に異なる波長帯の多波長光を出力することとしてもよい。
（８）さらに、上述の（１）又は（３）の光ノード装置においては、好ましくは、該ｐａ個の入力側波長合分波素子および該ｐｂ個の出力側波長合分波素子のそれぞれは、アレイ導波路格子とする。
【手続補正７】
【補正対象書類名】明細書
【補正対象項目名】００２９
【補正方法】変更
【補正の内容】
【００２９】
（９）また、上述の（２）又は（４）の光ノード装置においては、該スイッチモジュールにおける該入力端および該出力端との間でフレーム信号光を伝搬する光方路を設定するための制御情報を記憶する制御情報記憶部と、該制御情報記憶部に記憶された制御情報を参照して、該スイッチモジュールにおける前記入力端および出力端の切り替えのための制御を当該スイッチモジュールに対して行なう制御部と、該モニタ部におけるモニタ結果に基づいて、該制御情報記憶部にて記憶されている、該スイッチモジュールにおいて切り替え設定可能な光方路をなす前記入力端および出力端の組み合わせに応じた前記制御情報について、更新制御する更新制御部と、をそなえることもできる。
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】変更
【補正の内容】
【００３１】
（１０）さらに、上述の（１）又は（３）の光ノード装置において、入力光について波長変換を行なう波長変換部をそなえるとともに、該スイッチモジュールは、前記切り替えがなされた光を該波長変換部へ導く出力端ととともに、該波長変換部で前記波長変換が行なわれた光について前記いずれかの出力伝送路へ通じる出力端へ切り替えて出力すべく該スイッチモジュールに再入力させる入力端を更にそなえることとしてもよい。
【手続補正１０】
【補正対象書類名】明細書
【補正対象項目名】０１１０
【補正方法】変更
【補正の内容】
【０１１０】
また、上述した実施形態の開示により、当業者であれば本願発明の装置を製造することは可能である。
なお、上述の実施形態に関し、更に以下の付記を開示する。
（付記１）
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する基準光を出力しうる基準光光源と、をそなえ、
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、前記第１ポートのうちの他は該基準光光源に接続され、且つ各第２ポートはそれぞれ該スイッチモジュールの入力端に接続されたことを特徴とする、光ノード装置。
（付記２）
該ｐｂ個の出力側波長合分波素子のそれぞれは、少なくとも２つの第１ポートおよび第２ポートをそれぞれそなえるとともに、前記第１ポートのうちの一は対応する該出力伝送路に接続されるとともに、各第２ポートはそれぞれ該スイッチモジュールの出力端に接続され、
かつ、該ｐｂ個の出力側波長合分波素子の前記第１ポートのうちの他に接続され、該基準光光源から該スイッチモジュールを通じて入力される基準光をモニタする第１モニタ部をそなえたことを特徴とする、付記１記載の光ノード装置。
（付記３）
該ｐａ個の入力側波長合分波素子の該第２ポートと該スイッチモジュールの入力端との間には、前記入力伝送路からの光についての波長分離光をモニタする第２モニタ部をそなえる一方、該第２モニタ部は、前記入力伝送路からの光の入力待機状態の場合には、該基準光光源から出力され該入力側波長合分波素子で波長分離された基準光をモニタすることを特徴とする、付記２記載の光ノード装置。
（付記４）
少なくとも１本以上であるｐａ本の入力伝送路から入力される波長多重フレーム信号光をそれぞれ入力され波長分離して出力しうる、ｐａ個の入力側波長合分波素子と、
前記ｐａを前記波長多重フレーム信号光として収容可能な最大の波長多重数倍した数の入力端と、前記ｐｂを前記波長多重数倍した数の出力端をそれぞれ少なくともそなえ、該入力側波長合分波素子で波長分離された各フレーム信号光を、個別に対応してそなえられる前記入力端から入力されるとともに、前記入力端から入力された各フレーム信号光について、少なくとも２本以上であるｐｂ本のうちのいずれかの出力伝送路へ通じる波長毎に対応付けられた前記出力端へ切り替えて出力するスイッチモジュールと、
該スイッチモジュールにおいて出力伝送路が対応付けられたフレーム信号光について、当該対応付けられた出力伝送路ごとに波長多重しうる、ｐｂ個の出力側波長合分波素子と、
該スイッチモジュールを監視制御するための基準光光源であって、該入力側波長合分波素子および該出力側波長合分波素子での分波分解能をカバーする波長帯域幅を有する多波長光を基準光として出力しうる基準光光源と、をそなえ、
該ｐｂ個の出力側波長合分波素子のそれぞれは、少なくとも２つの第１ポートおよび第２ポートをそれぞれそなえるとともに、各出力側波長合分波素子の該第１ポートのうちの一は対応する該出力伝送路に接続されるとともに、該第１ポートのうちの他は該基準光光源に接続され、かつ、各第２ポートはそれぞれ該スイッチモジュールの出力端に接続されたことを特徴とする、光ノード装置。
（付記５）
該ｐａ個の入力側波長合分波素子のそれぞれは、少なくとも２つの第１ポートおよび第２ポートをそれぞれそなえるとともに、各入力側波長合分波素子をなす前記第１ポートのうちの一は該入力伝送路に接続されるとともに、該第２ポートはそれぞれ該スイッチモジュールの入力端に接続され、
かつ、該ｐａ個の入力側波長合分波素子の前記第１ポートのうちの他に接続され、該基準光光源からの基準光をモニタする第１モニタ部をそなえたことを特徴とする、付記４記載の光ノード装置。
（付記６）
該ｐａ個の入力側波長合分波素子の該第２ポートと該スイッチモジュールの入力端との間には、それぞれ前記基準光光源から出力され該スイッチモジュールを導通した基準光又は前記入力伝送路からの光についての波長分離光をモニタする第２モニタ部をそなえたことを特徴とする、付記４記載の光ノード装置。
（付記７）
該基準光光源は、前記フレーム信号光の波長帯と実質的に同等の波長帯の多波長光を出力することを特徴とする、付記１又は４記載の光ノード装置。
（付記８）
該基準光光源は、前記フレーム信号光の波長帯と実質的に異なる波長帯の多波長光を出力することを特徴とする、付記１又は４記載の光ノード装置。
（付記９）
該ｐａ個の入力側波長合分波素子および該ｐｂ個の出力側波長合分波素子のそれぞれは、アレイ導波路格子であることを特徴とする、付記１又は４記載の光ノード装置。
（付記１０）
該スイッチモジュールにおける該入力端および該出力端との間でフレーム信号光を伝搬する光方路を設定するための制御情報を記憶する制御情報記憶部と、
該制御情報記憶部に記憶された制御情報を参照して、該スイッチモジュールにおける前記入力端および出力端の切り替えのための制御を当該スイッチモジュールに対して行なう制御部と、
該モニタ部におけるモニタ結果に基づいて、該制御情報記憶部にて記憶されている、該スイッチモジュールにおいて切り替え設定可能な光方路をなす前記入力端および出力端の組み合わせに応じた前記制御情報について、更新制御する更新制御部と、をそなえたことを特徴とする、付記２又は５記載の光ノード装置。
（付記１１）
該スイッチモジュールは、駆動電圧の供給により入力光が偏向する偏向素子をそなえ、該偏向素子に対する前記駆動電圧の供給により該入力端と該出力端との間の光方路が設定される偏向光スイッチとして構成され、
該制御部が、
前記光方路として設定すべき該入力端および出力端の組み合わせに関する情報を入力されるとともに、該制御情報記憶部の内容を参照することにより、該スイッチモジュールに対して供給すべき駆動電圧を制御する制御信号を出力する駆動電圧制御部と、
該駆動電圧制御部からの前記制御信号により制御された駆動電圧を該スイッチモジュールに供給する駆動電圧供給部と、をそなえ、
該更新制御部は、該モニタ部からのモニタ結果をもとに、該制御情報記憶部において該制御情報として記憶されている、更新制御の対象となる光方路にかかる駆動電圧制御用の情報を更新制御することを特徴とする、付記１０記載の光ノード装置。
（付記１２）
該更新制御部における前記更新制御の対象となる光方路は、該スイッチモジュールで前記入力伝送路および前記出力伝送路間でのスイッチングの待機状態にある光方路であることを特徴とする、付記１１記載の光ノード装置。
（付記１３）
入力光について波長変換を行なう波長変換部をそなえるとともに、
該スイッチモジュールは、前記切り替えがなされた光を該波長変換部へ導く出力端ととともに、該波長変換部で前記波長変換が行なわれた光について前記いずれかの出力伝送路へ通じる出力端へ切り替えて出力すべく該スイッチモジュールに再入力させる入力端を更にそなえたことを特徴とする、付記１又は４記載の光ノード装置。
【国際調査報告】
2008105097.tif 000014
2008105097.tif 000015
2008105097.tif 000016
2008105097.tif 000017